(57)【要約】【課題】開閉体を誤って取り外すことがないようにできる屋外用照明器具を提供する。【解決手段】屋外用照明器具１０は、グローブ１４を器具本体１２に固定するラッチ部材１５に、器具本体１２に係止される器具本体係止部２４およびグローブ１４に接触する自由端のグローブ押え部２５を折曲して有する可撓折曲部２３と、グローブ押え部２５から突出してグローブ１４に形成された掛止部３０に掛止される可撓係止部２７と、を備え、可撓係止部２７の掛止部３０への掛止によりグローブ押え部２５に弾性復元力を蓄積させてグローブ押え部２５をグローブ１４に圧接させ、可撓係止部２７の掛止部３０からの掛止解除の後にグローブ押え部２５のグローブ１４からの離間によりグローブ１４を器具本体１２から離脱可能である。【選択図】図１２
2010231989.tif 000002
【特許請求の範囲】
【請求項１】
屋外構造物に取り付けられるアームと、
光源を収容し前記アームに固定される器具本体と、
前記光源を覆って前記器具本体に装着されるグローブと、
前記グローブを前記器具本体に固定するラッチ部材と、
を備える屋外用照明器具であって、
前記ラッチ部材は、前記器具本体に係止される器具本体係止部および前記グローブに接触する自由端のグローブ押え部を折曲して有する可撓折曲部と、前記グローブ押え部から突出して前記グローブに形成された掛止部に掛止される可撓係止部と、を備え、前記可撓係止部の前記掛止部への掛止により前記グローブ押え部に弾性復元力を蓄積させて前記グローブ押え部を前記グローブに圧接させ、前記可撓係止部の前記掛止部からの掛止解除の後に前記グローブ押え部の前記グローブからの離間により前記グローブを前記器具本体から離脱可能なことを特徴とする屋外用照明器具。
【請求項２】
前記ラッチ部材の前記可撓係止部が押圧用の延長部を有することを特徴とする請求項１に記載した屋外用照明器具。
【発明の詳細な説明】
【技術分野】
【０００１】
本発明は、例えば屋外に設置されて道路や公園等を照明して防犯等に用いられる屋外用照明器具に関し、特にグローブを取付けるためのラッチ部材に関する。
【背景技術】
【０００２】
従来の屋外用照明器具の一例として、ラッチ装置により結合されたシャーシと開口カバーとをネジにより固着した屋外用照明器具がある（例えば、特許文献１参照）。
【０００３】
従来の屋外用照明器具の他の一例として、一方の脚部を上蓋および器具本体の他方に固定し、他方の脚部を自由端とした弾性体を組み付けた屋外用照明器具がある（例えば、特許文献２参照）。
【先行技術文献】
【特許文献】
【０００４】
【特許文献１】特開２００３−３１７５２５号公報（図１、段落番号００２２）
【特許文献２】特開２００４−３４２４６９号公報（図１、請求項１）
【発明の概要】
【発明が解決しようとする課題】
【０００５】
しかし、上記特許文献１および上記特許文献２に開示された従来の屋外用照明器具では、いずれもラッチ装置の開閉金具を解除方向に一回動かすだけで開閉体が開放してしまう。
従って、電球や蛍光灯等の交換時や点検時に誤って開閉体が開いてしまうことがないとは言えず、その場合に開閉体を落下させてしまうことにもなりかねない。
【０００６】
本発明は、前述した課題を解決するためになされたものであり、その目的は、開閉体を誤って取り外すことがないようにできる屋外用照明器具を提供することにある。
【課題を解決するための手段】
【０００７】
本発明に係る屋外用照明器具は、屋外構造物に取り付けられるアームと、光源を収容し前記アームに固定される器具本体と、前記光源を覆って前記器具本体に装着される開閉体と、前記開閉体を前記器具本体に固定するラッチ部材と、を備える屋外用照明器具であって、前記ラッチ部材は、前記器具本体に係止される器具本体係止部および前記開閉体に接触する自由端の開閉体押え部を折曲して有する可撓折曲部と、前記開閉体押え部から突出して前記開閉体に形成された掛止部に掛止される可撓係止部と、を備え、前記可撓係止部の前記掛止部への掛止により前記開閉体押え部に弾性復元力を蓄積させて前記開閉体押え部を前記開閉体に圧接させ、前記可撓係止部の前記掛止部からの掛止解除の後に前記開閉体押え部の前記開閉体からの離間により前記開閉体を前記器具本体から離脱可能なことを特徴とする。
【０００８】
本発明においては、開閉体の器具本体への取り付けに際し、可撓係止部を掛止部へ掛止することにより開閉体押え部に弾性復元力を蓄積させて開閉体押え部を開閉体に圧接させて支持する。これに対して、開閉体の器具本体からの取り外しに際し、可撓係止部を掛止部から掛止解除し、その後に、開閉体押え部を開閉体から離間させることにより開閉体が器具本体から離脱される。
これにより、開閉体の器具本体からの取り外しに際し、可撓係止部を掛止部から掛止解除しただけでは開閉体を器具本体から取り外すことができない。そして、開閉体押え部を開閉体から離間させることにより開閉体を器具本体から外すことができる。
従って、取り外し動作を２段階として開閉体を誤って取り外すことがないようにできる。
【０００９】
本発明に係る屋外用照明器具は、上記屋外用照明器具において、前記ラッチ部材の前記可撓係止部が押圧用の延長部を有することを特徴とする。
【００１０】
本発明においては、開閉体の器具本体からの取り外しに際して可撓係止部を掛止部から掛止解除するときに押圧用の延長部を押圧する。
これにより、延長部を介して可撓係止部を押圧することにより、可撓係止部を開閉体へ当接するまでの大きなストロークで作動させることができる。
従って、可撓係止部による確実な解除動作を行うことができる。
【発明の効果】
【００１１】
本発明の屋外用照明器具によれば、ラッチ部材は、器具本体に係止される器具本体係止部および開閉体に接触する自由端の開閉体押え部を折曲して有する可撓折曲部と、開閉体押え部から突出して開閉体に形成された掛止部に掛止される可撓係止部と、を備え、可撓係止部の掛止部への掛止により開閉体押え部に弾性復元力を蓄積させて開閉体押え部を開閉体に圧接させ、可撓係止部の掛止部への掛止解除の後に開閉体押え部の開閉体からの離間により開閉体を器具本体から離脱可能である。
これにより、開閉体を誤って取り外すことがないようにできるという効果を有する。
【図面の簡単な説明】
【００１２】
【図１】本発明に係る一実施形態の屋外用照明器具の斜め前方から視た外観斜視図
【図２】図１の屋外用照明器具の正面図
【図３】図１の屋外用照明器具の背面図
【図４】図１の屋外用照明器具の平面図
【図５】図１の屋外用照明器具の右側面図
【図６】図１の屋外用照明器具の底面図
【図７】図１の屋外用照明器具のアームの斜め前方から視た外観斜視図
【図８】図１の屋外用照明器具のラッチ部材の斜め後方から視た外観斜視図
【図９】図８のラッチ部材の斜め前方から視た外観斜視図
【図１０】図８のラッチ部材の斜め後方上部から視た外観斜視図
【図１１】図８のラッチ部材の斜め後方下部から視た外観斜視図
【図１２】図５の屋外用照明器具におけるラッチ部材の取付状態での部分拡大図
【図１３】図１２のラッチ部材の単品側面図
【図１４】図５の屋外用照明器具におけるラッチ部材の取り外し第１アクション時の部分拡大図
【図１５】図１４のラッチ部材の単品側面図
【図１６】図５の屋外用照明器具におけるラッチ部材の取り外し第２アクション時の部分拡大図
【図１７】図１６のラッチ部材の単品側面図
【図１８】図１の屋外用照明器具の電柱との取付けを説明する外観斜視図
【発明を実施するための形態】
【００１３】
以下、本発明の一実施形態に係る屋外用照明器具について図面を参照して説明する。
【００１４】
本発明の一実施形態である屋外用照明器具１０は、屋外設備であるコンクリート製の電柱１に取り付けられるアーム１１と、光源である蛍光灯１３を収容し、アーム１１に固定されるカバー形状の器具本体１２と、蛍光灯１３を覆って器具本体１２に装着される開閉体であるグローブ１４と、グローブ１４を器具本体１２に固定するラッチ部材１５と、を備える。
【００１５】
図１に示すように、アーム１１は、その基端部に電柱１への取付用の電柱取付部１６を有する。アーム１１は、その先端側に、垂直に設置される電柱１に対して予め定められた角度だけ傾斜して器具本体１２を取り付けている。
【００１６】
図２、図３、図４、図５、図６に示すように、器具本体１２は、例えば金属製であって下方を開放させており、内部に不図示の点灯回路を装備している。器具本体１２は両端部に設けられている不図示のソケットに蛍光灯１３が電気的に接続可能に装着されている。器具本体１２は蛍光灯１３からの光を反射させる不図示の反射板を有する。
【００１７】
グローブ１４は、例えば透明や乳白色等の樹脂製であり、器具本体１２の下方側の開口部に取り付けられている。グローブ１４は、その上端部を器具本体１２の上部にヒンジ部材１７を介して開閉自在に連結されており、その下端部をラッチ部材１５により器具本体１２に固定されている。
【００１８】
図７に示すように、アーム１１は、断面視コ字形状の金属製板材を用いて成形されている。アーム１１は、その先端側に、器具本体取付板部１８を有し、器具本体取付板部１８に複数のネジ穴１９を有する。
【００１９】
アーム１１は電柱取付部１６に結束部材収容部であるバンド収容部２０と上部係合爪２１と下部係合爪２２とを形成している。
【００２０】
バンド収容部２０は、電柱１に巻回固定される結束部材であるバンド(図１８参照)２の厚み寸法よりもわずかに小さい深さ寸法であってバンド２の幅寸法よりもわずかに大きい幅寸法を有して電柱取付部１６の中央部に水平方向に凹設されている。バンド収容部２０はバンド２の厚み寸法よりも大きい深さ寸法を有しても良く、それはアーム１１の厚み寸法とバンド２の厚み寸法とを考慮して選択設定されるのが好ましい。
【００２１】
上部係合爪２１はバンド収容部２０の上部において切り起こされることにより下方に向けて突出して形成されている。上部係合爪２１はアーム１１をバンド２に引掛ける機能を有する。
【００２２】
下部係合爪２２はバンド収容部２０の下部において切り起こされることにより上方に向けて突出して形成されている。下部係合爪２２は上部係合爪２１に引っ掛かったバンド２の外れを防止する機能を有する。
【００２３】
上部係合爪２１と下部係合爪２２との間隔寸法はバンド２の幅寸法よりもわずかに大きい。
【００２４】
図８、図９、図１０、図１１に示すように、ラッチ部材１５は、JIS G 4801:2005に規定されるSUP3、SUP6、SUP7、SUP9、SUP10、SUP12等のばね鋼鋼材を用いて板形状に形成されている。ラッチ部材１５は、器具本体係止部２４および自由端のグローブ押え部２５をへ字形状に折曲して有する可撓折曲部２３と、可撓折曲部２３におけるグローブ押え部２５の中央部に形成された掛止部挿通孔２６と、掛止部挿通孔２６内から切り起こされて折り返し形状に突出形成された可撓係止部２７と、を備える。
【００２５】
器具本体係止部２４は器具本体１２の下端部に例えば加締め等の固定手段を介して係止される。固定手段としては加締めに限らず、ネジ固定や溶接等の接合を適用しても良い。
【００２６】
グローブ押え部２５は、その先端部にグローブ押え部側延長部２８を延出している。可撓係止部２７は、その先端部に押圧用の可撓係止部側延長部２９を延出している。
【００２７】
ラッチ部材１５は、可撓折曲部２３の器具本体係止部２４とグローブ押え部２５とが、器具本体１２とグローブ１４との下端部における外面が形成する折曲面の角度（図１２参照）θ１よりも大きい角度θ２を有するように拡げられて折曲されている。そのため、グローブ押え部２５はグローブ１４の取付時に、角度θ２よりも小さい折曲面の角度θ１を有する器具本体１２とグローブ１４とに対して弾性変形され、それに伴い弾性復元力を蓄積してグローブ１４に圧接される。
【００２８】
ラッチ部材１５は、可撓係止部２７がＶ字形状に折曲されているためにグローブ押え部２５に近づく方向およびグローブ押え部２５から離れる方向に弾性変形する。このとき、可撓係止部２７に押圧用の可撓係止部側延長部２９を延出形成しているために、可撓係止部側延長部２９を介して可撓係止部２７を押圧することにより可撓係止部２７をグローブ１４へ当接するまでの大きなストロークで作動させることができる。
【００２９】
次に、屋外用照明器具１０のグローブ１４の器具本体１２への取り付け手順および屋外用照明器具１０の電柱１への取り付け手順について説明する。
【００３０】
まず、屋外用照明器具１０のグローブ１４の器具本体１２への取り付け手順と器具本体１２からの取り外し手順とについて説明する。
【００３１】
図１２に示すように、グローブ１４は、その下端部にラッチ部材１５の可撓係止部２７が嵌入される凹形状の掛止部３０を形成している。
【００３２】
グローブ１４は、ヒンジ部材１７を介して器具本体１２に連結されている上端部に対して下端部を回動させることにより器具本体１２の開口部を覆って被される。
【００３３】
器具本体係止部２４が器具本体１２に係止しているラッチ部材１５は、器具本体１２とグローブ１４との折曲面の角度θ１よりも大きい角度θ２を有して配置されている。
【００３４】
次に、ラッチ部材１５におけるグローブ押え部２５の掛止部挿通孔２６にグローブ１４の掛止部３０を挿通させながら、器具本体係止部２４に対してグローブ押え部２５を弾性変形させてグローブ１４に近づける。
【００３５】
このとき、可撓係止部２７はグローブ押え部２５から離れる方向に弾性変形した位置にあり、グローブ押え部２５のグローブ１４への接近に伴い、掛止部３０を一旦乗り越えてから掛止部３０に係止される。
【００３６】
ラッチ部材１５は可撓係止部２７を掛止部３０に係止させ、可撓係止部２７の掛止部３０への係止に伴いグローブ押え部２５に生じているグローブ１４への圧接力によりグローブ押え部２５がグローブ１４の外面に圧接される。これにより、グローブ１４はラッチ部材１５により器具本体１２に組み付けられる。
【００３７】
図１３に示すように、次に、グローブ１４の器具本体１２からの取り外しに際しては、ラッチ部材１５における可撓係止部２７をグローブ１４側に押圧する第１アクションを行う。可撓係止部２７は、その可撓係止部側延長部２９を押圧することにより大きなストロークで動作される。
【００３８】
図１４、図１５に示すように、ラッチ部材１５の可撓係止部２７がグローブ１４側に押圧されることにより可撓係止部２７が掛止部３０から外れる。このとき、可撓係止部２７がグローブ１４側に押圧されたときにグローブ押え部２５はグローブ１４の外面に圧接されたままになっている。これにより、可撓係止部２７が掛止部３０から外れただけではグローブ１４は器具本体１２から外れない。
【００３９】
図１６、図１７に示すように、可撓係止部２７が掛止部３０から外れた後に、グローブ押え部２５をグローブ１４の外面から離間させる第２アクションを行う。
【００４０】
ラッチ部材１５はグローブ押え部２５がグローブ１４の外面から離間されることにより、グローブ１４への支持を中止し、グローブ１４を器具本体１２から取り外せる状態にする。
【００４１】
続いて、屋外用照明器具１０の電柱１への取り付け手順について説明する。
【００４２】
図１８に示すように、最初に、電柱１にバンド２が緩く巻回される。バンド２は不図示のバンド締込部材が回されることにより内径を小さくするように巻回される。
【００４３】
次に、バンド２と電柱１との間に上方からアーム１１の電柱取付部１６を差し込んでいく。バンド２は電柱１に緩く巻回されているために電柱取付部１６の差し込みは支障なく行われる。
【００４４】
このとき、アーム１１の電柱取付部１６において上部係合爪２１と下部係合爪２２との間隔寸法がバンド２の幅寸法よりもわずかに大きい。そのため、下部係合爪２２をバンド２に通すだけでバンド２を上部係合爪２１に簡単に引掛けることができる。
【００４５】
アーム１１の電柱取付部１６の上部係合爪２１と下部係合爪２２との間にバンド２が配置された後に、バンド２をバンド収容部２０に落とし込む。バンド収容部２０にバンド２を落とし込むことによりアーム１１が電柱１の所定位置に仮保持される。
【００４６】
そして、バンド２のバンド締込部材を締め側に回すことにより屋外用照明器具１０が電柱１の所定位置に取り付けられる。
【００４７】
本実施形態の屋外用照明器具１０では、グローブ１４の器具本体１２への取り付けに際し、可撓係止部２７を掛止部３０へ掛止することによりグローブ押え部２５に弾性復元力を蓄積させてグローブ押え部２５をグローブ１４に圧接させて支持する。これに対して、グローブ１４の器具本体１２からの取り外しに際し、可撓係止部２７を掛止部３０から掛止解除し、その後に、グローブ押え部２５をグローブ１４から離間させることによりグローブ１４が器具本体１２から離脱される。
これにより、グローブ１４の器具本体１２からの取り外しに際し、可撓係止部２７を掛止部３０から掛止解除しただけではグローブ１４を器具本体１２から取り外すことができない。そして、グローブ押え部２５をグローブ１４から離間させることによりグローブ１４を器具本体１２から外すことができる。
従って、取り外し動作を２段階としてグローブ１４を誤って取り外すことがないようにできる。
【００４８】
本実施形態の屋外用照明器具１０では、グローブ１４の器具本体１２からの取り外しに際して可撓係止部２７を掛止部３０から掛止解除するときに押圧用の可撓係止部側延長部２９を押圧する。
これにより、可撓係止部側延長部２９を介して可撓係止部２７を押圧することにより、可撓係止部２７をグローブ１４へ当接するまでの大きなストロークで作動させることができる。
【００４９】
本実施形態の屋外用照明器具１０では、器具本体１２を固定するアーム１１にバンド２に係合可能な上部係合爪２１を有する。
これにより、従来のもののように複数の部品から構成されない。
従って、部品点数の減少を図ることができる。
【００５０】
本実施形態の屋外用照明器具１０では、電柱１への取り付けに際し、バンド２を緩めて巻回してある電柱１のバンド２との間にアーム１１を差し込むことにより、アーム１１の上部係合爪２１がバンド２に引っ掛かる。
これにより、従来のものと比較してバンド２を側方から通す作業を行う必要がなくなる。
従って、電柱１への取付作業を飛躍的に簡単にすることができる。
【００５１】
本実施形態の屋外用照明器具１０では、電柱１のバンド２との間にアーム１１を差し込むことにより、アーム１１の上部係合爪２１がバンド２に引っ掛かる。
これにより、アーム１１がバンド２に位置決めされる。
従って、電柱１に対して簡単に位置決めを行うことにより電柱１への取付作業を飛躍的に簡単にすることができる。
【００５２】
本実施形態の屋外用照明器具１０では、アーム１１の上部係合爪２１をバンド２に引掛けた後にバンド収容部２０にバンド２を落とし込む。
これにより、アーム１１がバンド２に保持される。
従って、アーム１１を電柱１の所定位置に仮保持できることにより電柱１への取付作業を飛躍的に簡単にすることができる。
【００５３】
本実施形態の屋外用照明器具１０では、アーム１１の上部係合爪２１をバンド２に引掛けた後に下部係合爪２２がバンド２に係合される。
これにより、アーム１１のバンド２からの外れが防止される。
従って、バンド２から外れずに支持されているアーム１１に対してバンド２を締め込む作業を行うことにより、電柱１への取付作業を飛躍的に簡単にすることができる。
【００５４】
なお、前記実施形態で使用したアーム１１、器具本体１２、グローブ１４等は例示した形状に限定するものではなく適宜変更が可能である。
【符号の説明】
【００５５】
１  電柱（屋外構造物）
１０  屋外用照明器具
１１  アーム
１２  器具本体
１３  蛍光灯（光源）
１４  グローブ（開閉体）
１５  ラッチ部材
２３  可撓折曲部
２４  器具本体係止部
２５  グローブ押え部
２７  可撓係止部
２９  可撓係止部側延長部（延長部）
３０  掛止部
【図１】
2010231989.tif 000003
【図２】
2010231989.tif 000004
【図３】
2010231989.tif 000005
【図４】
2010231989.tif 000006
【図５】
2010231989.tif 000007
【図６】
2010231989.tif 000008
【図７】
2010231989.tif 000009
【図８】
2010231989.tif 000010
【図９】
2010231989.tif 000011
【図１０】
2010231989.tif 000012
【図１１】
2010231989.tif 000013
【図１２】
2010231989.tif 000014
【図１３】
2010231989.tif 000015
【図１４】
2010231989.tif 000016
【図１５】
2010231989.tif 000017
【図１６】
2010231989.tif 000018
【図１７】
2010231989.tif 000019
【図１８】
2010231989.tif 000020